(57)【要約】【課題】より確実に炊きムラを抑制することができる炊飯器を提供することを目的としている。【解決手段】上面に開口を有する本体と、本体の開口を開閉する蓋体と、本体の開口から本体の内部に収容される内釜と、本体内の内釜の底面に対向するように配置され、内釜の底面を加熱する底面加熱手段と、本体内の内釜の側面に対向するように配置され、内釜の側面を加熱する側面加熱手段と、側面加熱手段と底面加熱手段とに通電し、内釜を加熱する制御手段と、を備え、底面加熱手段は、内釜の底面に対向するように配置された複数の底面加熱部を有し、側面加熱手段は、内釜の側面に対向するように配置された複数の側面加熱部を有するものである。【選択図】図４
2016043125.tif 000002
【特許請求の範囲】
【請求項１】
上面に開口を有する本体と、
前記本体の開口を開閉する蓋体と、
前記本体の開口から前記本体の内部に収容される内釜と、
前記本体内の前記内釜の底面に対向するように配置され、前記内釜の底面を加熱する  底面加熱手段と、
前記本体内の前記内釜の側面に対向するように配置され、前記内釜の側面を加熱する  側面加熱手段と、
前記側面加熱手段と前記底面加熱手段とに通電し、前記内釜を加熱する制御手段と、
を備え、
前記底面加熱手段は、
前記内釜の底面に対向するように配置された複数の底面加熱部を有し、
前記側面加熱手段は、
前記内釜の側面に対向するように配置された複数の側面加熱部を有する
ことを特徴とする炊飯器。
【請求項２】
前記底面加熱部は、
前記内釜の底面に対向し、前記内釜の底面の周縁側に配置された複数の周縁加熱部を有し、
各側面加熱手段は、
各周縁加熱部の配置位置に対応する前記内釜の側面に対向するように配置され、
前記制御手段は、
炊飯工程において、
いずれか１つの前記周縁加熱部と、このいずれか１つの前記周縁加熱部の両脇の前記周縁加熱部に対応する２つの前記側面加熱部とを通電する
ことを特徴とする請求項１に記載の炊飯器。
【請求項３】
前記制御手段は、
前記炊飯工程における沸騰を維持する工程において、
いずれか１つの前記周縁加熱部と、このいずれか１つの前記周縁加熱部の両脇の前記周縁加熱部に対応する２つの前記側面加熱部とを通電する
ことを特徴とする請求項２に記載の炊飯器。
【請求項４】
前記制御手段は、
前記炊飯工程における前記沸騰を維持する工程において、
通電する前記周縁加熱部を前記内釜の周方向に順次切り替え、
前記周縁加熱部に対応するように、通電する２つの前記側面加熱部を前記内釜の周方向に順次切り替える
ことを特徴とする請求項３に記載の炊飯器。
【請求項５】
前記底面加熱部は、
前記内釜の底面中央部に対向し、複数の前記周縁加熱部の配置位置の中央部に配置された中央加熱部をさらに有し、
前記制御手段は、
前記炊飯工程において、
前記沸騰を維持する工程の前に、前記中央加熱部、全ての前記周縁加熱部、及び全ての前記側面加熱部を通電する
ことを特徴とする請求項３又は４に記載の炊飯器。
【請求項６】
前記制御手段は、
前記炊飯工程における前記沸騰を維持する工程において、前記中央加熱部を通電するとともに、全ての前記周縁加熱部及び全ての前記側面加熱部を通電しない
ことを特徴とする請求項５に記載の炊飯器。
【請求項７】
前記制御手段は、さらに、
全ての前記周縁加熱部を通電するとともに、前記中央加熱部及び全ての前記側面加熱部を通電しないように制御する工程を含む
ことを特徴とする請求項６に記載の炊飯器。
【請求項８】
前記制御手段は、
前記炊飯工程の前に実施される予熱工程において、
前記中央加熱部及び全ての前記周縁加熱部を通電し、前記側面加熱部を通電しない
ことを特徴とする請求項５〜７のいずれか一項に記載の炊飯器。
【請求項９】
前記制御手段は、
前記炊飯工程の後に実施されるドライアップ工程において、
前記中央加熱部、全ての前記周縁加熱部及び、全ての前記側面加熱部に通電する
ことを特徴とする請求項５〜８のいずれか一項に記載の炊飯器。
【請求項１０】
前記制御手段は、
前記ドライアップ工程の後に実施されるむらし工程において、
全ての前記側面加熱部を通電し、前記中央加熱部及び前記周縁加熱部のいずれも通電しない
ことを特徴とする請求項９に記載の炊飯器。
【請求項１１】
前記周縁加熱部及び前記側面加熱部は、同数であって４つ以上である
ことを特徴とする請求項２〜１０のいずれか一項に記載の炊飯器。
【発明の詳細な説明】
【技術分野】
【０００１】
本発明は、炊飯器に関するものである。
【背景技術】
【０００２】
従来の炊飯器には、内釜底面に配置された内コイルと、内釜の側周面の下部に配置された外コイルとを有し、内コイルと外コイルとを使い分けて通電し、内釜内の水などに対流を発生させて炊きムラを抑制するようにしたものが提案されている（たとえば、特許文献１参照）。
【先行技術文献】
【特許文献】
【０００３】
【特許文献１】特開平１０−１１３２７８号公報（たとえば、請求項１及び図２参照）
【発明の概要】
【発明が解決しようとする課題】
【０００４】
特許文献１に記載の炊飯器は、内コイルと外コイルとを独立して通電することができるように構成されているが、内コイルは分割して構成されたものではない。同様に、外コイルについても分割して構成されたものでない。このため、内コイルに通電すると、内釜の底面の全体を加熱することになる。外コイルについても側周面の下部の全体を加熱することになる。
【０００５】
特許文献１に記載の炊飯器は、内コイル及び外コイルに通電して対流を発生させることができるが、いずれかのコイルに通電すると、内釜底面の全域に渡って、或いは内釜側周面の下部の全域に渡って加熱されてしまう。
したがって、発生させることができる対流の種類としては、内釜底面の中心軸まわりに回転対称な対流に限られる。このため、米内のでんぷんの湖化が進んだ際に、コイル対向部の温度が高くなりやすく、対向部以外の部分と温度ムラが発生し、炊きムラができやすいという課題がある。
【０００６】
本発明は、以上のような課題を解決するためになされたもので、より確実に炊きムラを抑制することができる炊飯器を提供することを目的としている。
【課題を解決するための手段】
【０００７】
本発明に係る炊飯器は、上面に開口を有する本体と、本体の開口を開閉する蓋体と、本体の開口から本体の内部に収容される内釜と、本体内の内釜の底面に対向するように配置され、内釜の底面を加熱する底面加熱手段と、本体内の内釜の側面に対向するように配置され、内釜の側面を加熱する側面加熱手段と、側面加熱手段と底面加熱手段とに通電し、内釜を加熱する制御手段と、を備え、底面加熱手段は、内釜の底面に対向するように配置された複数の底面加熱部を有し、側面加熱手段は、内釜の側面に対向するように配置された複数の側面加熱部を有するものである。
【発明の効果】
【０００８】
本発明に係る炊飯器によれば、側面加熱手段及び底面加熱手段がそれぞれ分割された構成となっているため、多様な対流を発生させることができ、より確実に炊きムラを抑制することができる。
【図面の簡単な説明】
【０００９】
【図１】本発明の実施の形態に係る炊飯器１の構成を示す縦断面図である。
【図２】本発明の実施の形態に係る炊飯器１の底面加熱コイル６及び側面加熱ヒーター５の上面視図である。
【図３】制御回路、蓋部温度センサー７、底部温度センサー８、底面加熱コイル６及び側面加熱ヒーター５について説明するブロック図である。
【図４】本発明の実施の形態に係る炊飯器１の制御フローチャートの一例である。
【図５】各工程を実施しているときの米飯の温度を示したプロファイル図である。
【図６】本発明の実施の形態に係る炊飯器１の内釜４を、いずれかの周縁加熱部２０と、この周縁加熱部２０の脇の側面加熱部３０とで加熱させたときの水の対流を表す断面図である。
【図７】本発明の実施の形態に係る炊飯器１の内釜４を、中央加熱部１１で加熱させたときの水の対流を表す断面図である。
【図８】本発明の実施の形態に係る炊飯器１の内釜４を、全ての周縁加熱部２０で加熱させたときの水の対流を表す断面図である。
【発明を実施するための形態】
【００１０】
以下、発明の実態に係る炊飯器１について、図面などを参照しながら説明する。ここで、図１を含め、以下の図面において、同一の符号を付したものは、同一、またはこれに相当するものであり、以下に記載する実施の形態において共通である。
【００１１】
実施の形態．
図１は、本実施の形態に係る炊飯器１の構成を示す縦断面図である。図２は、本実施の形態に係る炊飯器１の底面加熱コイル６及び側面加熱ヒーター５の上面視図である。図３は、制御回路、蓋部温度センサー７、底部温度センサー８、底面加熱コイル６及び側面加熱ヒーター５について説明するブロック図である。
本実施の形態に係る炊飯器１は、多様な対流を発生させ、炊きムラができてしまうことをより確実に抑制することができる改良が加えられたものである。
【００１２】
［構成説明］
実施の形態における炊飯器１は、図１に示すように、内釜４が出し入れ自在に収容された本体２と、本体２の上部に開閉自在に取り付けられ、内釜４を密閉状態で覆う蓋体３とを備えている。
【００１３】
本体２は、上面に開口を有しており、この開口が開閉自在となるように蓋体３が取り付けられている。すなわち、本体２は、内釜４が収容される凹部を有し、この凹部の上側の開口部分が蓋体３によって開閉される。
【００１４】
本体２には、内釜４の底部を誘導加熱する底面加熱コイル６と、本体２の背面と内釜４との間の空間に設置された回路基板９と、内釜上の温度を検出する蓋部温度センサー７と、内釜４の底部の温度を検出する底部温度センサー８と、内釜４の周囲の４方向に分割された側面加熱ヒーター５が設けられている。
【００１５】
底面加熱コイル６は、内釜４の底面中央部に対向する中央加熱部１１と、内釜４の底面に対向し、中央加熱部１１の周囲に配置された周縁加熱部２１、周縁加熱部２２、周縁加熱部２３及び周縁加熱部２４とを有している。以下の説明において、周縁加熱部２１、周縁加熱部２２、周縁加熱部２３及び周縁加熱部２４をまとめて周縁加熱部２０とも称する。
中央加熱部１１は、平面視形状が円形状を有しているものである。周縁加熱部２０は、平面視形状が中央加熱部１１と同様に環状となっているものである。周縁加熱部２０は、内釜４の底面に対向し、内釜４の底面の周縁側に配置されているものである。
ここで、底面加熱コイル６の中央加熱部１１及び底面加熱コイル６の周縁加熱部２０は、底面加熱手段の底面加熱部に対応し、側面加熱ヒーター５は、側面加熱手段に対応している。
【００１６】
側面加熱ヒーター５は、内釜４の側面のうち、各周縁加熱部２０の配置位置側に対応する側面に対向するように配置された側面加熱部３１、側面加熱部３２、側面加熱部３３及び側面加熱部３４を有している。以下の説明において、側面加熱部３１、側面加熱部３２、側面加熱部３３及び側面加熱部３４をまとめて側面加熱部３０とも称する。
側面加熱部３０は、周縁加熱部２０の配置位置に対応する内釜４の側面に対向するように配置されているものである。すなわち、側面加熱部３１は、周縁加熱部２１の配置位置に対応する内釜４の側面に対向するように配置されている。また、側面加熱部３２は、周縁加熱部２２の配置位置に対応する内釜４の側面に対向するように配置されている。また、側面加熱部３３は、周縁加熱部２３の配置位置に対応する内釜４の側面に対向するように配置されている。さらに、側面加熱部３４は、周縁加熱部２４の配置位置に対応する内釜４の側面に対向するように配置されている。
【００１７】
側面加熱部３０は、環状に形成されているものである（図２、図６〜図８参照）。すなわち、側面加熱部３１、側面加熱部３２、側面加熱部３３及び側面加熱部３４は、それぞれ、環状に形成されている。ここで、内釜４の側周面のうち底面側を湾曲部４Ａとし、内釜４の側周面のうち鉛直方向に平行な部分を胴部４Ｂとする。湾曲部４Ａは、下端側が内釜４の底面に接続され、上端側が胴部４Ｂに接続されている。湾曲部４Ａは、上側に向かうにしたがって内径が拡がるように湾曲している。胴部４Ｂは、下端側が湾曲部４Ａに接続されている筒状部である。本実施の形態において、側面加熱部３０の下端側の高さ位置は湾曲部４Ａの上端側に対応し、側面加熱部３０の上端側の高さ位置は、胴部４Ｂの上部に対応している。
【００１８】
回路基板９内に実装されている制御回路では、底部温度センサー８が予め設定された温度を検出した時間から、蓋部温度センサー７が予め設定された温度を検出した時間までの差の大小によって、炊飯量を判定している。回路基板９内に実装されている制御回路は、制御手段に対応している。ここで、底部温度センサー８及び蓋部温度センサー７における予め設定された温度は、同じ温度である。
【００１９】
回路基板９内に実装されている制御回路は、炊飯メニュー及び炊飯量に応じて、内釜４内の炊飯物（米と水）を予熱する予熱工程、予熱後に水を沸騰させ、沸騰温度を保持する炊飯工程、ドライアップ工程、加熱された米飯を蒸らす蒸らし工程及びその米飯を一定温度で保温する保温工程の各工程を実行する。
なお、制御回路は、各工程において、炊飯物の温度が目標温度に達したかどうか、米飯の温度が一定温度かどうかを底部温度センサー８の検出温度から判定している。目標温度とは、予熱工程においては予熱温度（約６０℃）、ドライアップ工程においてドライアップ温度（約１４０℃）、保温工程においては保温のための一定温度（約７０℃）である。
【００２０】
［動作説明］
図４は、本実施の形態に係る炊飯器１の制御フローチャートの一例である。図４を参照して、底面加熱コイル６と側面加熱ヒーター５との通電切り替えの組み合わせをして、炊飯器１の炊飯における動作を説明する。なお、以下の説明において、回路基板９内に実装されている制御回路を制御手段と称して説明する。
【００２１】
制御手段は、炊飯の制御を開始する（ステップＳ０）。制御手段は、予熱工程を実施するか否かを判定する（ステップＳ１）。制御手段は、予熱工程を実施する場合には、ステップＳ２に進む。また、制御手段は、予熱工程を実施しないと判定した場合には、再度、予熱工程を実施するか否かを判定する。
たとえば、ユーザーが予め設定された時刻から炊飯を開始するように設定すると、ステップＳ１の判定が再度なされる。
【００２２】
（予熱工程）
予熱工程は、炊飯工程に先立って行われる工程である。制御手段は、予熱工程において、中央加熱部１１及び４つ全ての周縁加熱部２０を通電させる（ステップＳ２）。これは、予熱工程は米の吸水を促進させるために加熱させているので、底面加熱コイル６を構成するすべての加熱部で加熱させることがよいためである。
【００２３】
制御手段は、炊飯工程を実施するか否かを判定する。制御手段は、炊飯工程を実施する場合には、ステップＳ４に進む（ステップＳ３）。炊飯工程を実施しない場合には、ステップＳ１に戻る。
【００２４】
（炊飯工程：初期）
制御手段は、炊飯工程において、予め設定された時間が経過するまでは、中央加熱部１１及び周縁加熱部２０を通電させるとともに、側面加熱部３０を通電させる（ステップＳ４）。本実施の形態では、予め設定された時間は、一例として、１分に設定されている。すなわち、初期１分間においては底面加熱コイル６及び側面加熱ヒーター５を構成する全ての加熱部を通電し、内釜４の底面側及び側面側について加熱する。
【００２５】
（炊飯工程：沸騰維持）
次に、制御手段は、炊飯工程のうち、沸騰を維持する工程を実施する。制御手段は、ステップＳ５〜ステップＳ８において、いずれか１つの周縁加熱部２０と、このいずれか１つの周縁加熱部２０の両脇に配置された２つの側面加熱部（側面加熱部３２、３４または側面加熱部３１、３３）とを通電する。具体的には次の通りである。
制御手段は、周縁加熱部２１と、周縁加熱部２１の脇に配置された周縁加熱部２２に対応する側面加熱部３２と、周縁加熱部２１の脇に配置された周縁加熱部２４に対応する側面加熱部３４とを通電させる（ステップＳ５）。
制御手段は、周縁加熱部２２と、周縁加熱部２２の脇に配置された周縁加熱部２１に対応する側面加熱部３１と、周縁加熱部２２の脇に配置された周縁加熱部２３に対応する側面加熱部３３とを通電させる（ステップＳ６）。
制御手段は、周縁加熱部２３と、周縁加熱部２３の脇に配置された周縁加熱部２２に対応する側面加熱部３２と、周縁加熱部２３の脇に配置された周縁加熱部２４に対応する側面加熱部３４とを通電させる（ステップＳ７）。
制御手段は、周縁加熱部２４と、周縁加熱部２４の脇に配置された周縁加熱部２３に対応する側面加熱部３３と、周縁加熱部２４の脇に配置された周縁加熱部２１に対応する側面加熱部３１とを通電させる（ステップＳ８）。
各ステップＳ５〜ステップＳ８により、後述する図６のような対流が発生する。
【００２６】
ここで、制御手段は、ステップＳ５〜ステップＳ８では、通電する周縁加熱部２０を内釜４の周方向に順次切り替え、周縁加熱部２０に対応するように、通電する２つの側面加熱部を内釜４の周方向に順次切り替える。すなわち、周縁加熱部２０を通電する順番を反時計回りとし、側面加熱部３２及び側面加熱部３４と側面加熱部３１及び側面加熱部３３とが交互に通電している。このようにすることで、より確実に内釜４内に大きな対流を発生させることができる。
【００２７】
制御手段は、ステップＳ８に引き続いて沸騰を維持する工程を実施する。すなわち、制御手段は、中央加熱部１１について通電し、全ての周縁加熱部２０及び全ての側面加熱部３０について通電しない（ステップＳ９）。
本ステップＳ９により、後述する図７のような対流が発生する。
【００２８】
制御手段は、全ての周縁加熱部２０について通電し、中央加熱部１１及び全ての側面加熱部３０について通電しない（ステップＳ１０）。
本ステップＳ１０により、後述する図８のような対流が発生する。
【００２９】
さらに、制御手段は、中央加熱部１１について通電し、全ての周縁加熱部２０及び全ての側面加熱部３０について通電しない（ステップＳ１１）。
本ステップＳ１１により、後述する図７のような対流が発生する。
【００３０】
制御手段は、ドライアップ工程を実施するか否かを判定する。制御手段は、ドライアップ工程を実施する場合には、ステップＳ１３に進む（ステップＳ１２）。ドライアップ工程を実施しない場合には、ステップＳ５に戻る。
なお、制御手段は、ステップＳ１２において、たとえば予め設定された時間が経過するまで、或いは、予め設定されたループ回数に至ったかを判定する。制御手段は、予め設定された時間が経過した、或いは、予め設定されたループ回数に至った場合には、ドライアップ工程にかかるステップＳ１３に進む。そうでない場合には、制御手段は、ステップＳ５に戻る。
【００３１】
（ドライアップ工程）
ドライアップ工程は、炊飯工程の後に実施され、内釜４内の水分を蒸発させて米の温度を上昇させる工程である。制御手段は、ドライアップ工程において、底面加熱コイル６及び側面加熱ヒーター５に通電し、内釜４の底面側及び側面側から加熱する（ステップＳ１３）。すなわち、制御手段は、中央加熱部１１及び全ての周縁加熱部２０と、全ての側面加熱部３０とによって内釜４を加熱する。
【００３２】
制御手段は、むらし工程を実施するか否かを判定する。制御手段は、むらし工程を実施する場合には、ステップＳ１５に進む（ステップＳ１４）。むらしを実施しない場合には、ステップＳ１２に戻る。
【００３３】
（むらし工程）
制御手段は、むらし工程において、側面加熱ヒーター５に通電し、内釜４の底面側及び側面側から加熱する。すなわち、制御手段は、全ての側面加熱部３０に通電し、中央加熱部１１及び全ての周縁加熱部２０については通電しない（ステップＳ１５）。蒸らし工程では、制御手段は、底部温度センサー８で検出した温度に基づいて側面加熱ヒーター５の通電を制御し、内釜４の温度を一定に保つようにする。
【００３４】
（保温工程）
なお、図４では記載を省略しているが、炊飯器１では、炊飯が終了すると、自動的に保温工程に切り替わる。保温工程では、制御手段は、側面加熱ヒーター５に通電し、内釜４の側面側から加熱する。すなわち、制御手段は、全ての側面加熱部３０に通電し、中央加熱部１１及び全ての周縁加熱部２０については通電しない。
【００３５】
［対流（その１）］
図６は、本実施の形態に係る炊飯器１の内釜４を、いずれかの周縁加熱部２０と、この周縁加熱部２０の脇の周縁加熱部２０に対応する側面加熱部３０とで加熱させたときの水の対流を表す断面図である。この図６は、周縁加熱部２１と、側面加熱部３２及び側面加熱部３４とを加熱した場合について説明する。この図６に示す対流は、図４に示す炊飯工程のステップＳ５〜ステップＳ８のそれぞれで発生する。
【００３６】
側面加熱部３２及び側面加熱部３４を通電させることで、内釜４のうち側面加熱部３２及び側面加熱部３４の対向位置の部分が温まり、内釜４のうち側面加熱部３１及び側面加熱部３３の対向位置の部分と温度差が生じる。すなわち、側面加熱部３２及び側面加熱部３４の対向位置の部分が高温領域であり、側面加熱部３１及び側面加熱部３３の対向位置の部分が低温領域である。
【００３７】
側面加熱部３２及び側面加熱部３４を通電させることで、側面加熱部３１側から側面加熱部３３側に向かう直線状の低温領域が発生し、内釜４内の水分などの通り道として機能する。そして、その低温領域上に位置する周縁加熱部２１も通電されて、周縁加熱部２１の部分が加熱されることになる。その結果として、図６に示すような対流が形成される。
【００３８】
この図６の対流は、内釜４の一方側の下側から上側に上昇した後に、内釜４の径方向に移動し、内釜４の他方側の上側から下側に下降するような対流である。すなわち、上下の対流が、内釜４の一方側から対向する他方側にかけて延びるように形成されることになる。
【００３９】
［各工程の温度について］
図５は、各工程を実施しているときの米飯の温度を示したプロファイル図である。図５において、縦軸は、温度を示し、横軸は時間を示している。
予熱工程に移行すると米飯の温度が若干引き上げられる。そして、炊飯工程では、初期では全ての加熱手段が通電して米飯の温度は急激に引き上げられる。そして、沸騰状態が維持される。炊飯工程を終えると、ドライアップ工程では、全ての加熱手段に通電して水分の蒸発が促される。そして、蒸らし工程及び保温工程では、ドライアップ工程から温度が下げられる。
【００４０】
［対流（その２）］
図７は、本実施の形態に係る炊飯器１の内釜４を、中央加熱部１１で加熱させたときの水の対流を表す断面図である。この対流は、図４に示す炊飯工程のステップＳ９及びステップＳ１１を実施しているときに発生する。
中央加熱部１１を加熱すると、内釜４の中央部が加熱されるため、温かくなった中央部の下側の水などが上昇する。そして、上昇した水などは、放射状に拡がった後に、内釜４の内側面に沿うように下方に移動する。
【００４１】
［対流（その３）］
図８は、本実施の形態に係る炊飯器１の内釜４を、全ての周縁加熱部２０で加熱させたときの水の対流を表す断面図である。この対流は、図４に示す炊飯工程のステップＳ１０を実施しているときに発生する。
周縁加熱部２０を加熱すると、内釜４の底面の周辺側が加熱されるため、温かくなった底面の周辺側であって下側の水などが上昇する。そして、上昇した水などは、内釜４の中央に集まり、下方に移動する。
【００４２】
［本実施の形態に係る炊飯器１の有する効果］  
本実施の形態に係る炊飯器１は、内釜４の底面中央部に対向する中央加熱部１１と、内釜４の底面に対向し、中央加熱部１１の周囲に配置された周縁加熱部２０と、各周縁加熱部２０の配置位置に対応する内釜４の側面に対向するように配置された側面加熱部３０とを有している。このように、周縁加熱部２０及び側面加熱部３０がそれぞれ分割された構成となっているため、多様な対流を発生させることができ、より確実に炊きムラを抑制することができる。具体的には、次の対流を発生させることができる。
【００４３】
（１）制御手段が、いずれか１つの周縁加熱部２０と、この周縁加熱部２０の両脇に配置された周縁加熱部２０に対応する２つの側面加熱部３０とを通電することで、図６に示すような対流を発生させることができる。すなわち、内釜４の一方側の下側から上側に上昇した後に、内釜４の径方向に移動し、内釜４の他方側の上側から下側に下降するような大きな流れの対流を発生させることができる。これにより、炊きムラをより確実に抑制することができる。
【００４４】
（２）また、制御手段は、中央加熱部１１を通電することで、図７に示すような対流を発生させることができる。すなわち、温かくなった中央部の下側の水などが上昇し、放射状に拡がった後に、内釜４の内側面に沿うように下方に移動する対流を発生させることができる。これにより、炊きムラをより確実に抑制することができる。
【００４５】
（３）さらに、制御手段は、周縁加熱部２０を通電することで、図８に示すような対流を発生させることができる。すなわち、温かくなった内釜４の底面の周辺側であって下側の水などが上昇し、内釜４の中央に集まり、下方に移動する対流を発生させることができる。これにより、炊きムラをより確実に抑制することができる。
【００４６】
このように、本実施の形態に係る炊飯器１は、上述した３つの対流を発生させることで、すなわち多様な対流を発生させることで、より確実に炊きムラを抑制することができる。
【００４７】
本実施の形態に係る炊飯器１では、ステップＳ５〜ステップＳ８において反時計回りに周縁加熱部２０の通電を切り替える場合を一例に説明したが、それに限定されるものではなく、たとえば、時計回りであっても同様の効果を得ることができる。
また、反時計回り及び時計回りでなく、周縁加熱部２０の加熱順序がランダムであっても、同様の効果を得ることができるが、反時計回り及び時計回りとした方が、より炊きムラを抑制することができる。
【００４８】
本実施の形態に係る炊飯器１では、４つの周縁加熱部２０及び対応する４つの側面加熱部３０を有する態様について一例を説明したが、それに限定されるものではない。たとえば、５つ以上であってもよい。
【００４９】
［側面加熱部３０の配置位置について］
周縁加熱部２０は、中央加熱部１１の円形の中心位置を中心とする円における予め設定された角度範囲に配置されている。具体的には、図２に示すように、周縁加熱部２０は、角度Ａ１の範囲に設けられている。本実施の形態においては、角度Ａ１は、９０度より小さい。
側面加熱部３０は、中央加熱部１１の円形の中心位置を中心とする円における予め設定された角度範囲に配置されている。具体的には、図２に示すように、側面加熱部３０は、角度Ａ２の範囲に設けられている。本実施の形態においては、角度Ａ２は、９０度より小さく、角度Ａ１よりも大きい。
【００５０】
このように、側面加熱部３０は、内釜４の周方向の広範囲に拡がるように配置されている。具体的には、側面加熱部３０は、周縁加熱部２０の角度範囲よりも広くなるように配置されている。たとえば、側面加熱部３０の角度Ａ２が、周縁加熱部２０の角度Ａ１よりも小さいと、内釜４内の水分などが対流するには、通り道が広すぎてしまう場合がある。そうすると、周縁加熱部２０を加熱しても、円滑に対流が形成されない場合も想定される。そこで、側面加熱部３０が、周縁加熱部２０の角度Ａ１よりも広くなるように角度Ａ２が設定されていると、より確実に図６に示すような対流を発生させることができる。
【符号の説明】
【００５１】
１  炊飯器、２  本体、３  蓋体、４  内釜、４Ａ  湾曲部、４Ｂ  胴部、５  側面加熱ヒーター、６  底面加熱コイル、７  蓋部温度センサー、８  底部温度センサー、９  回路基板、１１  中央加熱部、２０  周縁加熱部、２１  周縁加熱部、２２  周縁加熱部、２３  周縁加熱部、２４  周縁加熱部、３０  側面加熱部、３１  側面加熱部、３２  側面加熱部、３３  側面加熱部、３４  側面加熱部、Ａ１  角度、Ａ２  角度。
【図１】
2016043125.tif 000003
【図２】
2016043125.tif 000004
【図３】
2016043125.tif 000005
【図４】
2016043125.tif 000006
【図５】
2016043125.tif 000007
【図６】
2016043125.tif 000008
【図７】
2016043125.tif 000009
【図８】
2016043125.tif 000010